(57)【特許請求の範囲】
【請求項１】
外部に送出する信号を中継するプッシュターミナルを備える遊技機用外部端子板において、
前記プッシュターミナルは、
少なくとも二つのリード線挿入穴が形成されたケース本体部と、
前記リード線挿入穴に対応して前記ケース本体部に設けられた導電性の端子部と、
前記端子部に対応して、前記ケース本体部に押動自在に設けられた操作部と、
前記端子部に対応して設けられた、前記操作部の押動に連動して動き、前記リード線挿入穴に挿入されたリード線を前記端子部に押圧するための押圧部と、
前記リード線挿入穴に挿入されるリード線を前記端子部に押圧するように前記押圧部を附勢する附勢手段と、
を具備し、
前記操作部は、前記附勢手段の附勢に逆らって前記押圧部と前記端子部との間にリード線が挿入可能となるように、前記押圧部と前記端子部との間隔を広げるためのものであり、且つ隣り合う前記操作部は、一の前記操作部を押圧する際に、当該一の前記操作部の可動範囲において、当該一の前記操作部に隣り合う他の前記操作部を押さえることがないように、前記ケース本体部の底面からの距離が異なるように形成されていることを特徴とする遊技機用外部端子板。
【請求項２】
前記操作部は前記ケース本体部の同じ側に設けられていることを特徴とする請求項１記載の遊技機用外部端子板。
【請求項３】
前記操作部は前記ケース本体部の対向する二つの側に分けて設けられていることを特徴とする請求項１記載の遊技機用外部端子板。
【請求項４】
前記操作部と前記押圧部とは一体的に形成されていることを特徴とする請求項１乃至３の何れか１項に記載の遊技機用外部端子板。
【請求項５】
前記プッシュターミナルは、同じ基板上に設けられたフォトモスリレーを介して信号を中継するものであることを特徴とする請求項１乃至４の何れか１項に記載の遊技機用外部端子板。
【発明の詳細な説明】
【技術分野】
【０００１】
本発明は、例えば、パチンコ遊技機から外部に信号を送出するときに、その信号を中継するため使用される遊技機用外部端子板に関する。
【背景技術】
【０００２】
従来から、遊技場に設けられた、例えばパチンコ遊技機は、遊技場に設置された複数のパチンコ遊技機を管理するホールコンピュータに賞球の数などを示す信号を送出している。このとき、パチンコ遊技機は、機内に配置された外部端子板に設けられたプッシュターミナルを介して信号を送出する。図１７は、従来のパチンコ遊技機に搭載された外部端子板を示す概略図である。図１７に示すように、従来のパチンコ遊技機に搭載された外部端子板５０１は基板５０２上に複数のプッシュターミナル５０３が配置されている。
【０００３】
【特許文献１】特開平８−２７６０６１号公報
【発明の開示】
【発明が解決しようとする課題】
【０００４】
とろこで、近年、パチンコ遊技機は、遊技内容の高度化、複雑化等に伴って、変動入賞装置や特別図柄表示装置等の各種役物や電飾装置が大型化している。また、遊技者による不正操作を防止するために、新たに各種の電子部品が搭載されるようになっている。このように装置が大型化され、搭載される電子部品が増加しても、パチンコ遊技機の機枠自体の大きさは、従来ものものに比べて大きくなっていない。このため、パチンコ遊技機内で使用されている各種電子部品の一層の小型化が要請されている。パチンコ遊技機内に配置されている上述した外部端子板に対しても同様に小型化が要請されている。
しかしながら、図１７に示す従来の外部端子板５０１に搭載されているプッシュターミナル５０３は、現状の大きさでも、一つの操作部５０４を人の指で押し下げる操作をするときに、誤って隣の操作部５０４も一緒に押し下げてしまうことがある。このため、従来のパチンコ遊技機に用いられている外部端子板のプッシュターミナルは、小型化すると、操作性を損なうことになるので、小型化を図ることができないという問題があった。またしたがって、従来のプッシュターミナルを搭載する外部端子板は小型化することができないという問題があった。
【０００５】
本発明は上記事情に基づいてなされたものであり、プッシュターミナルの操作性を損なうことなく、小型化することができる遊技機用外部端子板を提供することを目的とするものである。
【課題を解決するための手段】
【０００６】
上記の目的を達成するための本発明は、外部に送出する信号を中継するプッシュターミナルを備える遊技機用外部端子板において、プッシュターミナルは、少なくとも二つのリード線挿入穴が形成されたケース本体部と、リード線挿入穴に対応してケース本体部に設けられた導電性の端子部と、端子部に対応して、ケース本体部に押動自在に設けられた操作部と、端子部に対応して設けられた、操作部の押動に連動して動き、リード線挿入穴に挿入されたリード線を端子部に押圧するための押圧部と、リード線挿入穴に挿入されるリード線を端子部に押圧するように押圧部を附勢する附勢手段と、を具備し、操作部は、附勢手段の附勢に逆らって押圧部と端子部との間にリード線が挿入可能となるように、押圧部と端子部との間隔を広げるためのものであり、且つ隣り合う操作部は、一の操作部を押圧する際に、当該一の操作部の可動範囲において、当該一の操作部に隣り合う他の操作部を押さえることがないように、ケース本体部の底面からの距離が異なるように形成されている。
【０００７】
また、操作部は、ケース本体部の同じ側に設けるようにしてもよいし、ケース本体部の対向する二つの側に分けて設けるようにしてもよい。
【０００８】
また、プッシュターミナルの操作部と押圧部とを一体的に形成することが望ましい。これにより、プッシュターミナルの構成を簡易なものとすることができる。
【０００９】
また、プッシュターミナルは、同じ基板上に設けられたフォトモスリレーを介して信号を中継するものであることが望ましい。これにより、信号を送出する遊技機と信号を受信する外部機器とを電気的に絶縁した状態で、信号を送出することができる。
【発明の効果】
【００１０】
本発明の隣り合う操作部は、ケース本体部の底面からの距離が異なるように形成され、隣り合う操作部には段差がつけられている。したがって、操作部の幅を小さくしても、一の操作部を押圧したときに、誤って隣り合う他の操作部を押圧してしまうのを効果的に防ぐことができる。したがって、本発明は、操作性を損なうことなく、プッシュターミナルの幅を小さくし、これにより遊技機用外部端子板の小型化を図ることができる。
【発明を実施するための最良の形態】
【００１１】
以下に、図面を参照して、本願に係る発明を実施するための最良の形態について説明する。図１は本発明の一実施形態であるパチンコ遊技機用外部端子板を備えるパチンコ遊技機の概略正面図である。
【００１２】
本実施形態のパチンコ遊技機は、図１に示すように、機枠１と、機枠１の前面に開閉自在に装着された前面枠２と、前面枠２の下方に設けられた下部の球受皿６と、その球受皿６の側部に設けられた打球操作用の発射ハンドル７と、を備えている。前面枠２の前面にはガラス枠３と前面板４が開閉自在に装着され、その前面板４の前面に上部の球受皿５が設けられている。また、前面枠２の裏面には遊技盤９が取り外し可能に装着され、遊技盤９のガイドレール１０で囲まれた前面の中央には図柄変動表示装置１１が設けられている。図柄変動表示装置１１の下方には、図柄変動表示装置１１の図柄の変動表示をスタートさせるための始動口１２が設けられ、更に始動口１２の下方には大入賞口１３が設けられている。また、遊技盤９の図柄変動表示装置１１の上方には、図柄変動中に始動口１２に入った遊技球の数を示すための４個の入賞保留ランプ１７が設けられ、遊技盤９の下方部には、一般の入賞口１４やアウト口１５が設けられている。その他、遊技盤９には演出に応じて光を発する電飾装置１８や音声を発するスピーカ１９、或いは風車１６等が設けられている。なお、図１では、図を簡略化するために釘は省略している。
【００１３】
図２は本実施形態であるパチンコ遊技機の概略裏面図である。図２に示すように、本パチンコ遊技機には、遊技盤９の裏面に回動自在に装着された機構板２２が設けられている。この機構板２２は、遊技盤９の裏面から一定間隔で離れて相対する板状部２２ａを有し、その板状部２２ａの内側下方に始動口１２や一般の入賞口１４に入賞した入賞球を集合する入賞球集合部２３が形成されている。板状部２２ａの裏面上方には景品球タンク２５が、更にその下方には３条の球流路を有する樋レール２６が配設されている。樋レール２６と連通状に、貸し球排出装置２７及び賞品球排出装置２８が設けられている。貸し球排出装置２７はカードの情報に基づいて貸し球を排出するためのものであり、賞品球排出装置２８は遊技球が各種の入賞口に入賞したときに、所定数の賞品球を排出するためのものである。なお、貸し球排出装置２７と賞品球排出装置２８はいずれか一方で他方を兼用するように構成してもよい。
【００１４】
本実施形態の図柄変動表示装置１１は、液晶ディスプレイよりなる表示部を備えており、この表示部に複数の図柄が表示される。本実施形態では、図１に示すように、３桁３列合計９個の図柄が表示される。本実施形態の始動口１２は、遊技球の通路に開閉自在に設けられた羽根を有する、いわゆる電動チューリップ式入賞口である。大入賞口１３は、遊技状態が大当たり状態になると、開状態となり、遊技者が賞品球を獲得しやすい状態となる。始動口１２に遊技球が入賞すると、図柄変動表示装置１１の図柄の変動表示が開始され、乱数を用いた抽選によって、大当たりか否かの判定が行われる。大当たりであれば、図柄の変動表示が停止したときの停止図柄が予め定めた図柄、例えば中央のラインに７・７・７の図柄が表示されて停止する。大当たり状態になると、大入賞口１３が開状態となり、遊技者は短時間により多くの賞品球を獲得することが可能な特別遊技状態となる。
【００１５】
図３は、本実施形態のパチンコ遊技機の概略ブロック配線図である。本実施形態のパチンコ遊技機は、図３に示すように、主制御基板３１、サブ制御基板３２、払出制御基板３３、電飾制御基板３４、外部端子板４０、及び遊技球等貸出装置接続端子板３５を備えている。なお、図３では、電源基板は省略している。主制御基板３１は、遊技動作を制御するための基板であり、ＣＰＵやＲＯＭやＲＡＭ等を備える。サブ制御基板３２は、遊技の演出を行うための音声や画像等を制御するための基板であり、ＣＰＵやＲＯＭやＲＡＭ等を備える。払出制御基板３３は、賞品球の払出を制御するための基板であり、ＣＰＵやＲＯＭやＲＡＭ等を備える。電飾制御基板３４は、発光ダイオード等の電飾装置が配置された基板である。遊技球等貸出装置接続端子板３５は、パチンコ遊技機外部の遊技球貸出装置（不図示）に送出する、遊技球を貸し出すための信号を中継する基板である。
【００１６】
図４は本実施形態のパチンコ遊技機の外部端子板の概略図、図５はその外部端子板の配線図である。外部端子板４０は、図４及び図５に示すように、基板４１上に搭載された、１個の入力側のコネクタＣＮ1と、６個の出力側のコネクタＣＮ2〜7と、６個のフォトモスリレーＲＬ1〜6とを備える。本実施形態のパチンコ遊技機から遊技場に設けられた管理用のホールコンピュータ５０に送出する信号には、次のような信号がある。１０個の賞品球を払い出したときにコネクタＣＮ1のターミナル２に送出される賞球信号、前面枠（ドア）が開状態となっときにコネクタＣＮ1のターミナル３に送出されるドア開放信号、遊技状態が大当たり状態となったときにコネクタＣＮ1のターミナル４に送出される大当たり信号、大当たりとなる確率が高くなる遊技状態である確率変動状態となったときにコネクタＣＮ1のターミナル５に送出される確変信号、遊技球が始動口に入賞して図柄変動が開始されるときにコネクタＣＮ1のターミナル６に送出されるスタート信号、及び図柄の変動表示が停止したときにコネクタＣＮ1のターミナル７に送出される図柄確定信号がある。入力側のコネクタＣＮ1のターミナル１に供給されるＤＣ１２Ｖは、６個の各フォトモスリレーＲＬ1〜６に共通して供給される電圧である。出力側の各コネクタＣＮ2〜7は、常時は開状態となっており、パチンコ遊技機から入力側のコネクタＣＮ1に送出される信号が電流制限抵抗（不図示）を介してロー信号になると、フォトモスリレーの一次側の赤外発光ダイオードが発光し、フォトモスリレーの２次側であるＭＯＳＦＥＴが導通状態となり、出力側の各コネクタが閉状態となる。このように、フォトモスリレーを介して、信号を送出することにより、パチンコ遊技機とホールコンピュータとの間を電気的に絶縁した状態で、パチンコ遊技機からホールコンピュータに信号を送出することができる。なお、本発明は、上述した６個の信号に限定されるものではなく、パチンコ遊技機から送出される信号は、７個以上であっても、５個以下であってもよい。
【００１７】
図６は本実施形態の出力側のターミナルＣＮ2〜7に使用されるプッシュターミナル１００の概略正面図、図７はそのプッシュターミナル１００の概略右側面図、図８はそのプッシュターミナル１００の概略平面図、図９はそのプッシュターミナルの概略底面図、図１０はそのプッシュターミナル１００の図８におけるＡ−Ａ矢視概略断面図、図１１はそのプッシュターミナル１００の概略斜視図である。なお、本実施形態では、プッシュターミナルがディスクリート型である場合について説明するが、本発明はこれに限定されるものではなく、プッシュターミナルは表面実装型のものであってもよい。また、図１０の一点鎖線Ｘは、リード線挿入穴に挿入されるリード線の中心線を示すものである。
【００１８】
本実施形態のプッシュターミナル１００は、図６〜図１１に示すように、ケース本体部１０１内に、端子部とレバー部とを有する二組の接続端子セット１２０.１２０を隣り合うように配置したものである。なお、以下では、説明の便宜上、二組の接続端子セットの各々を区別して説明するときには、符号にアルファベトのａ又はｂを付加し、一方を第一接続端子セット１２０ａ、他方を第二接続端子セット１２０ｂと称する。
【００１９】
各接続端子セット１２０は、ケース本体部１０１の上部に形成されたリード線挿入穴１２１と、リード線挿入穴１２１に対応してケース本体部内に固定して設けられた導電性の端子部１２２と、レバー部１２３と、レバー部を附勢するスプリング部１２４と、を備える。ケース本体部１０１は、二つのリード線挿入穴の他に、プッシュターミナルを基板４１に固定するために底部に形成された固定用突起１０２、プッシュターミナル同士を連結するための突起である第一連結突起部１０３と第二連結突起部１０４、プッシュターミナル同士を連結するための凹部である第一連結凹部１０５と第二連結凹部１０６（図７参照）、及び、スプリング部１２４を支持するためのスプリング用突起部１０７（図１０参照）を備えている。
【００２０】
各端子部１２２は、基板４１に形成された接続穴に挿入される足部１２２１と、リード線挿入穴から挿入されたリード線と接触する接触部１２２２（図１０参照）とを備えている。レバー部１２３は端子部１２２に対応して設けられ、人が押圧する部分であるケース本体部の外部に露出している操作部１２３１と、リード線挿入穴１２１に挿入されたリード線を端子部１２２の接触部１２２２に押し付けるための押圧部１２３２と、レバー部をケース本体部に回動自在に取り付けるための軸部１２３３と、スプリング部１２４を支持するためのスプリング用突起部１２３４とを備えている。レバー部１２３は、ケース本体部に形成された軸受部（不図示）に軸部１２３３を嵌め込むことにより、図１０の矢印Ｙで示すように、ケース本体部に回動自在に取着される。このレバー部１２３は、常時はスプリング部１２４により、その押圧部１２３２が端子部１２２の接触部１２２２に当接するように附勢された状態となっている。スプリング部１２４は、レバー部のスプリング用突起部１２３４とケース本体部のスプリング用突起部１０７とによって両端部が支持される。
【００２１】
本プッシュターミナル１００にリード線を接続するときには、レバー部１２３の操作部１２３１を下方に押圧し、押圧部１２３２と端子部１２２の接触部１２２２との隙間を広げて、リード線をリード線挿入穴１２１から挿入し、その後、操作部１２３１を元に戻す。これにより、図１０の一点鎖線Ｘで示すように、リード線はケース本体部内に端子部１２２の接触部１２２２に押し付けられた状態で保持される。リード線を外すときには、レバー部１２３の操作部１２３１を下方に押し下げた状態で、リード線を引き抜くことにより、容易にリード線を取り外すことができる。
【００２２】
本実施形態のプッシュターミナルは、第一連結突起部１０３と第二連結突起部１０４を、隣り合うプッシュターミナルの第一連結凹部１０５と第二連結凹部１０６に嵌め込むことにより、６個のプッシュターミナルを一体的に連結することができる。連結する数は６個に限定されるものではなく、５個以下でも、７個以上であってもよい。また、本実施形態の６個のプッシュターミナル１００は、各プッシュターミナルの固定用突起部１０２と端子部の足部１２２１ａ，１２２１ｂを基板４１に形成された穴に嵌め込み、足部１２２１ａ，１２２１ｂを基板４１に形成された配線パターンに半田付けすることにより基板４１に固定される。なお、第一連結突起部１０３と第二連結突起部１０４、第一連結凹部１０５と第二連結凹部１０６、及び、固定用突起部１０２は省略することが可能である。
【００２３】
本実施形態の二つのレバー部１２３ａ，１２３ｂの操作部１２３１ａ，１２３１ｂは、図１０及び図１１等に示すように、ケース本体部の底面からの高さが異なるように、言い換えれば二つの操作部１２３１ａ，１２３１ｂに段差が生じるようにして形成されている。また、第一レバー部１２３ａの操作部１２３１ａは、操作部１２３１ａを最下部まで、押し下げた状態でも、ケース本体部からの高さが第二レバー部１２３ｂの操作部１２３１ｂと同じか、若干高い位置となるように構成されている。したがって、本実施形態のプッシュターミナルによれば、従来のプッシュターミナルに比べて、プッシュターミナルの幅Ｌを小さくしても、第一レバー部を押下するときに、誤って同時に第二レバー部を押下することはなく、また第二レバー部を押下するときに、誤って同時に第一レバー部を押下することもなくなる。すなわち、本実施形態によれば、二つのレバー部の何れか一方を下方に押し下げたときに、誤って他方のレバー部を下方に押し下げてしまうことがなくなり、リード線の外部端子板への接続作業が容易になるとともに、従来のものに比べてプッシュターミナルの幅を小さくして、小型化を図ることができる。
【００２４】
また、本実施形態のプッシュターミナルは、図４に示すように、６個のプッシュターミナルを直列的に連結して使用する場合でも、隣り合うレバー部の操作部の高さが異なるので、各レバー部の操作部を押し下げるときに、隣り合う他のレバー部の操作部を同時に押し下げてしまうことはない。
【００２５】
また、本実施形態の外部端子板４０によれば、従来のものに比べて、プッシュターミナルの幅を小さくすることができ、占有面積を小さくすることができるので、外部端子板の小型化を図ることができる。またしたがって、本実施形態の外部端子板によれば、複数のプッシュターミナルを直列的に接続して配置したことにより、図４に示す外部端子板４０の横幅を従来のものに比べて、小さくすることができる。
【００２６】
また、図１７に示す従来の外部端子板は、操作部が対向するように構成されているので、外部端子板を機枠に当接するように配置すると、機枠に当接している側の操作部が押下しづらくなる。したがって、従来の外部端子板は、機枠から所定距離だけ離して配置する必要がある。これに対して、本実施形態の外部端子板によれば、例えば、図４に示すプッシュターミナルの位置を１８０度回転して配置することにより、外部端子板の、プッシュターミナルを配置した側を機枠に接触するようにして配置することも可能となる。したがって、本実施形態の外部端子板は、プッシュターミナルの操作部を対向させて配置している従来の外部端子板に比べて、パチンコ遊技機内に配置する際の設計の自由度が大きくなる。
【００２７】
図１２は、本実施形態の外部端子板の第一変形例を示す概略図である。本変形例の外部端子板４０ａは、上述した実施形態の外部端子板４０とは、プッシュターミナルの形状が異なるだけであり、他の部分は上述した実施形態と同様である。したがって、以下では、プッシュターミナルのみについて説明し、他の部分の説明は省略する。また、図１２において、図４に示すものと同一の機能を有するものには、同一の符号或いは対応する符号を付することにより、その詳細な説明を省略する。上記の実施形態のプッシュターミナル１００は、ケース本体部内に、二組の接続端子セット１２０ａ，１２０ｂを隣り合うように配置したものである。これに対して、第一変形例のプッシュターミナル１００ａは、ケース本体部内に、二組の接続端子セット１２０ｃ，１２０ｄを対向して配置したものである。また、上記の実施形態の外部端子板４０は、隣り合うように配置した二つの接続端子セット１２０ａ，１２０ｂを有するプッシュターミナルを一列に並べたものであり、接続端子セットは一列に並べた状態で配置されている。これに対して、第一変形例の外部端子板４０ａは、対向して配置された二組の接続端子セット１２０ｃ，１２０ｄを有するプッシュターミナル１００ａを３個直列的に配置したものであり、言い換えれば本変形例の外部端子板は接続端子セットを二列に並べた状態で配置したものである。
【００２８】
本変形例の外部端子板４０ａによれば、外部端子板４０ａに配置されるプッシュターミナルの幅を小さくして、占有面積を小さくすることができるので、外部端子板の小型化を図ることができる。
【００２９】
また、本変形例の場合も、隣り合うレバー部の操作部は上述した実施形態と同様に、段差が付けられているので、上述した実施形態の場合と同様の作用・効果を奏する。
【００３０】
次に、本実施形態の外部端子板の第二変形例について説明する。なお、第二変形例は、上記の実施形態とは、外部端子板の出力側のコネクタに使用するプッシュターミナルが異なるだけで、他の部分は同じである。したがって、以下では、上記の実施形態と異なるプッシュターミナルの部分のみについて説明し、他の部分の説明は省略する。
【００３１】
図１３は第二変形例の出力側のターミナルに使用されているプッシュターミナル１００ｂの概略正面図、図１４はそのプッシュターミナル１００ｂの概略平面図、図１５はそのプッシュターミナル１００ｂの図１４におけるＡ−Ａ矢視概略断面図、図１６はそのプッシュターミナル１００ｂの概略斜視図である。
【００３２】
第二変形例のプッシュターミナル１００ｂが上記実施形態のプッシュターミナル１００と異なるのは、レバー部の形状であり、他の部分は上記実施形態のプッシュターミナル１００と同じである。したがって、図１３〜図１６の各図において、図６〜図１１に示すものと同様の機能を有するものには、同一の符号或いは対応する符号を付することにより、その詳細な説明を省略する。
【００３３】
上記実施形態のプッシュターミナルのレバー部１２３ａ，１２３ｂは、操作部の近傍を曲折して形成している。これに対して、第二変形例のプッシュターミナルのレバー部１２３ｃ，１２３ｄの操作部１２３１ｃ，１２３１ｄの近傍は、ほぼ直線状に形成されており、形状がシンプルである。したがって、本変形例のプッシュターミナルは、レバー部を製造する際の金型がシンプルなものとなり、製造が容易となる。
【００３４】
また、本変形例の場合も、隣り合うレバー部の操作部は上述した実施形態と同様に、段差が付けられているので、上述した実施形態の場合と同様の作用・効果を奏する。
【００３５】
尚、本発明は上記の実施形態や変形例に限定されるものではなく、その要旨の範囲内において種々の変形が可能である。例えば、上記の実施形態では、操作部と押圧部とが一体的に形成されている場合について説明したが、操作部と押圧部とは分けて形成し、操作部の動きに押圧部が連動するように構成してもよい。
【００３６】
また、上記の実施形態では、レバー部を回動自在にケース本体部に取り付けることにより、操作部を押動自在に支持する場合について説明したが、操作部は、例えば上下方向に押動自在となるようにケース本体部に取り付けるようにしてもよい。
【００３７】
また、上記の実施形態では、プッシュターミナルが二組の接続端子セットを有する場合について説明したが、プッシュターミナルは隣り合う操作部がケース本体部の底面からの距離が異なるように形成されているものであれば、三組以上の接続端子セットを有するものであってもよい。
【００３８】
また、上記の実施形態では、第二変形例のプッシュターミナルは、二つの接続端子セットが隣り合うように配置する場合について説明したが、第二変形例のプッシュターミナルについても、第一変形例のように、二つの接続端子セットを対向させて配置するようにしもよい。
【００３９】
また、上記の第一変形例では、対向して配置される接続端子セットの操作部が段差を有する場合について説明したが、隣り合う操作部に段差が設けられていれば、対向して配置される操作部には段差は設けなくてもよい。
【００４０】
また、上記の実施形態では、パチンコ遊技機を例に挙げて説明したが、本発明は、これに限定されるものではなく、回胴式遊技機等のゲーム装置であってもよい。
【産業上の利用可能性】
【００４１】
以上説明したように、本発明は操作部の幅を小さくしても、一の操作部を押圧したときに、誤って隣り合う他の操作部を押圧してしまうのを防ぐことができる。したがって、本発明は、操作性を損なうことなく、プッシュターミナルを小型化することができる。したがって、本発明は、例えばプッシュターミナルを有する外部端子板を備えるパチンコ遊技機等に適用することができる。
【図面の簡単な説明】
【００４２】
【図１】図１は本発明の一実施形態であるパチンコ遊技機用外部端子板を備えるパチンコ遊技機の概略正面図である。
【図２】図２は本実施形態であるパチンコ遊技機の概略裏面図である。
【図３】図３は、本実施形態のパチンコ遊技機の概略ブロック配線図である。
【図４】図４は本実施形態のパチンコ遊技機の外部端子板の概略図である。
【図５】図５は本実施形態のパチンコ遊技機の外部端子板の配線図である。
【図６】図６は本実施形態の出力側のターミナルに使用されているプッシュターミナル１００の概略正面図である。
【図７】図７は本実施形態のプッシュターミナル１００の概略右側面図である。
【図８】図８は本実施形態のプッシュターミナル１００の概略平面図である。
【図９】図９は本実施形態のプッシュターミナルの概略底面図である。
【図１０】図１０は本実施形態のプッシュターミナル１００の図８におけるＡ−Ａ矢視概略断面図である。
【図１１】図１１は本実施形態のプッシュターミナル１００の概略斜視図である。
【図１２】図１２は、本実施形態の外部端子板の第一変形例を示す概略図である。
【図１３】図１３は第二変形例の出力側のターミナルに使用されているプッシュターミナル１００ｂの概略正面図である。
【図１４】図１４は第二変形例のプッシュターミナル１００ｂの概略平面図である。
【図１５】図１５は第二変形例のプッシュターミナル１００ｂの図１４におけるＡ−Ａ矢視概略断面図である。
【図１６】図１６は第二変形例のプッシュターミナル１００ｂの概略斜視図である。
【図１７】図１７は、従来のパチンコ遊技機に搭載された外部端子板を示す概略図である。
【符号の説明】
【００４３】
１    機枠
２    前面枠
３    ガラス枠
４    前面板
９    遊技盤
１１    図柄変動表示装置
１２    始動口
３１    主制御基板
３２    サブ制御基板
３３    払出制御基板
３４    電飾制御基板
４０    外部端子板
４１    外部端子板の基板
５０    ホールコンピュータ
１００，１００ａ，１００ｂ    プッシュターミナル
１０１    ケース本体部
１０２    固定用突起部
１０３    第一連結突起部
１０４    第二連結突起部
１０５    第一連結凹部
１０６    第二連結凹部
１０７    スプリング用突起部
１２０    接続端子セット
１２１    リード線挿入穴
１２２    端子部
１２３    レバー部
１２４    スプリング部（附勢手段）
１２２２    接触部
１２２１    足部
１２３１    操作部
１２３２    押圧部
１２３３    軸部
１２３４    スプリング用突起部
ＣＮ    コネクタ
ＲＬ    フォトモスリレー
【図１】
0004461490.tif 000002
【図２】
0004461490.tif 000003
【図３】
0004461490.tif 000004
【図４】
0004461490.tif 000005
【図５】
0004461490.tif 000006
【図６】
0004461490.tif 000007
【図７】
0004461490.tif 000008
【図８】
0004461490.tif 000009
【図９】
0004461490.tif 000010
【図１０】
0004461490.tif 000011
【図１１】
0004461490.tif 000012
【図１２】
0004461490.tif 000013
【図１３】
0004461490.tif 000014
【図１４】
0004461490.tif 000015
【図１５】
0004461490.tif 000016
【図１６】
0004461490.tif 000017
【図１７】
0004461490.tif 000018